(57)【要約】【課題】電子機器の製造工程中の取扱時に電子機器に傷がつきにくく、また、静電気による電子部品の破損を防止できる電子機器の保護カバーを提供することを目的とする。【解決手段】電子機器の製造工程で個々の電子機器に嵌着して用いられる保護カバーであって、前記保護カバーには、帯電防止機能を有するオレフィン系の高分子化合物（ポリオレフィン）の発泡性樹脂シートが用いられ、真空成形または圧空成形などにより、電子機器に抱着可能寸法となるように形成されることを特徴とする。尚、電子機器の保護カバーは製造工程で用いられる治具の製品受け面や電子機器の運搬用トレイに内設される保護カバーなどにも用いることができる。【選択図】図１
2004128173.tif 000002
【特許請求の範囲】
【請求項１】
製造工程で個々の電子機器を保護する保護カバーにおいて、前記保護カバーには、オレフィン系の高分子化合物の樹脂部材が用いられ、該保護カバーは電子機器の製造工程において該電子機器を保護するように形成されることを特徴とする電子機器の保護カバー。
【請求項２】
前記保護カバーは、前記電子機器の色になるように形成されてなることを特徴とする請求項１に記載の電子機器の保護カバー。
【請求項３】
前記保護カバーは、少なくとも一部が該電子機器の液晶表示部に接するように形成されていることを特徴とする請求項１に記載の電子機器の保護カバー。
【請求項４】
前記保護カバーには、前記電子機器の操作部を操作できる操作用孔が設けられていることを特徴とする請求項１に記載の電子機器の保護カバー。
【請求項５】
前記保護カバーは、少なくとも前記操作用孔を含む近傍が前記電子機器の色になるように着色されてなることを特徴とする請求項４に記載の電子機器の保護カバー。
【請求項６】
前記操作用孔の近傍には、操作手順を示す記号が設けられていることを特徴とする請求項４に記載の電子機器の保護カバー。
【請求項７】
前記保護カバーには、製造工程管理用の記号を視認できる視認孔が設けられていることを特徴とする請求項１に記載の電子機器の保護カバー。
【請求項８】
前記保護カバーは、該電子機器の操作部に対応する部分の厚みが薄く形成されていることを特徴とする請求項１に記載の電子機器の保護カバー。
【請求項９】
電子機器の組立用治具に組み込まれる電子機器の保護カバーにおいて、
前記保護カバーには、オレフィン系の高分子化合物の樹脂部材が用いられ、該保護カバーは前記組立用治具の本体へ着脱可能に設けられてなることを特徴とする電子機器の保護カバー。
【請求項１０】
電子機器の運搬用トレイに組み込まれる電子機器の保護カバーにおいて、
前記保護カバーには、オレフィン系の高分子化合物の樹脂部材が用いられ、前記トレイへ着脱可能に設けられてなることを特徴とする電子機器の保護カバー。
【請求項１１】
前記保護カバーには、帯電防止機能を有する発泡性樹脂シートが用いられ、真空成形または圧空成形により形成されることを特徴とする請求項１乃至請求項１０のいずれかに記載の電子機器の保護カバー。
【発明の詳細な説明】
【０００１】
【発明の属する技術分野】
本発明は、製造工程で個々の電子機器に用いられる電子機器の保護カバーに関する。
【０００２】
【従来の技術】
電子機器の製造工程では、組立工程、冷／熱エージング工程、検査工程などの工程を経て組み立てられる場合が多い。これらの工程では電子機器の組立状態や電子機器の移動などにより傷がつく機会が沢山ある。特に、電子機器の前面パネルには傷がつきやすく見栄えの品質向上が要求されている。これらの傷付き防止対策については従来から色々の対策がとられている。以下にその対策の一例を図７を用いて説明する。
【０００３】
図７は従来の電子機器の傷付き防止対策を示す概略図で、（ａ）正面図、（ｂ）側面図である。
【０００４】
９０は例えば液晶表示部（モニター部）９１が組み込まれた電子機器である。１５は電子機器９０の前面パネルユニット（前面パネル、液晶表示ユニット、前面基板ユニットなどにより構成されている）９２への傷つき防止対策として用いられる幅広の環ゴムバンドである。環ゴムバンド９５の周長は、前面パネルユニット９２の周長よりやや短めで、幅は前面パネルユニット９２の側面を十分に囲う寸法の幅となっている。尚、環ゴムバンド９５は周長を少し伸ばしながら前面パネルユニット９２の外周部に周設する。
【０００５】
この出願の発明に関連する先行技術文献としては次のものがある。
【０００６】
【特許文献１】
特開平９−１３１８２１号公報
【０００７】
【発明が解決しようとする課題】
しかし、上述の電子機器９０の傷付き防止対策では、電子機器９０の前面パネルユニット９２の外周部に環ゴムバンド９５を周設しているが、正面部が保護されていないので、操作釦９３、つまみ９４を含む正面部に傷がつき見栄えの品質低下につながる場合がある。また、傷の大きさにより部品の取り替えが必要となり、部品費および取り替え工数などが発生するのでコスト高につながる。
【０００８】
また、環ゴムバンド９５は、繰り返しの使用により表面に汚れが付着し、付着した汚れが前面パネルユニット９２の方へ付着する不具合が発生する。
【０００９】
尚、上述の先行技術文献１に相当するのものを電子機器９０の製造工程中にカバーとして適用することも考えられるが、冷／熱エージング工程時の極端な温度変化などによりカバーが変形してしまい、結果としてカバーの機能を失い製造工程中に電子機器９０に傷が発生する機会を多く与えてしまうことになる。
【００１０】
本発明は上述の問題を解決するもので、電子機器の製造工程内において電子機器に傷がつきにくく、また、静電気による電子部品の破損を防止できる電子機器の保護カバーを提供することを目的とする。
【００１１】
【課題を解決するための手段】
本発明は上述の目的を達成するもので、製造工程で個々の電子機器を保護する保護カバーにおいて、前記保護カバーには、オレフィン系の高分子化合物の樹脂部材が用いられ、該保護カバーは電子機器の製造工程において該電子機器を保護するように形成されることを特徴とするものである。
【００１２】
また、前記保護カバーは、前記電子機器の色になるように形成されてなることを特徴とするものである。
【００１３】
また、前記保護カバーは、少なくとも一部が該電子機器の液晶表示部に接するように形成されていることを特徴とするものである。
【００１４】
また、前記保護カバーには、前記電子機器の操作部を操作できる操作用孔が設けられていることを特徴とするものである。
【００１５】
また、前記保護カバーは、少なくとも前記操作用孔を含む近傍が前記電子機器の色になるように着色されてなることを特徴とするものである。
【００１６】
また、前記操作用孔の近傍には、操作手順を示す記号が設けられていることを特徴とするものである。
【００１７】
また、前記保護カバーには、製造工程管理用の記号を視認できる視認孔が設けられていることを特徴とするものである。
【００１８】
また、前記保護カバーは、該電子機器の操作部に対応する部分の厚みが薄く形成されていることを特徴とするものである。
【００１９】
また、電子機器の組立用治具に組み込まれる電子機器の保護カバーにおいて、前記保護カバーには、オレフィン系の高分子化合物の樹脂部材が用いられ、該保護カバーは前記組立用治具の本体へ着脱可能に設けられてなることを特徴とするものである。
【００２０】
また、電子機器の運搬用トレイに組み込まれる電子機器の保護カバーにおいて、前記保護カバーには、オレフィン系の高分子化合物の樹脂部材が用いられ、前記トレイへ着脱可能に設けられてなることを特徴とするものである。
【００２１】
また、前記保護カバーには、帯電防止機能を有する発泡性樹脂シートが用いられ、真空成形または圧空成形により形成されることを特徴とするものである。
【００２２】
【発明の実施の形態】
本発明の第１の実施の形態を図１、図２および図３を用いて説明する。
【００２３】
図１は本発明の第１の実施の形態に係る電子機器の保護カバーを示す概略図で、（ａ）正面図、（ｂ）Ａ−Ａ断面図である。図２は本発明の第１の実施の形態に係る電子機器の保護カバーの嵌着状態を示す概略図で、（ａ）正面図、（ｂ）Ｂ−Ｂ断面図である。図３は本発明の第１の実施の形態に係る電子機器の保護カバーと一部が異なる電子機器の保護カバーを示す概略図で、（ａ）正面図、（ｂ）Ｃ−Ｃ断面図である。
【００２４】
２０は保護カバーで、例えばナビゲーション装置の液晶表示部（モニター部）１１が組み込まれた電子機器１０の前面パネルユニット（前面パネル、液晶表示ユニット、前面基板ユニットなどにより構成されている）１５部の前面パネルに嵌着（軽く押し込んだ状態で抱着する程度）して用いられる。保護カバー２０は、図１で示すように前面パネルユニット１５の形状（略前面パネル形状）をしており、液晶表示部１１と略同じ大きさに形成された孔２１と操作釦１２を操作するための操作孔２２、つまみ１３の操作孔２３および製造工程管理用の記号（例えば、機種記号などを記したシール１４）の視認孔２４などが設けられている。また、液晶表示部１１の外周壁に沿って壁部２５が液晶表示部１１の表面に接触するように形成されている。
【００２５】
保護カバー２０は、前面パネルユニット１５の前面パネルに嵌着した状態で固着するように、前面パネルの寸法よりやや小さめの寸法に形成されている。
【００２６】
保護カバー２０の材料には、帯電防止剤が添加され永久帯電防止機能（１０の１０乗乃至１１乗オーム）を有するオレフィン系の高分子化合物（ポリオレフィン）の発泡性樹脂シートが用いられ真空成形または圧空成形により形成される。尚、保護カバー２０は発泡性樹脂シートを用いるので保護カバー２０に含まれた空気に光が乱反射して白色となる。
【００２７】
尚、保護カバー２０は、電子機器１０の前面パネルユニット１５の最初の組立工程から用いられ、冷／熱エージング工程、検査工程を経て最終の出荷検査工程まで一貫して用いられる。
【００２８】
以上説明したように本発明の第１の実施の形態に係る電子機器１０の保護カバー２０によれば、前面パネルユニット１５の操作部以外の全ての部分が保護されているので、取扱などにより傷がつくのを防止することができる。
【００２９】
また、保護カバー２０には帯電防止剤の添加により静電気の帯電防止機能が備わっているので、塵埃が付着しにくく、表面が汚れにくくなるので、前面パネルの当接面を汚す不具合を防止することができる。
【００３０】
また、静電気の帯電がなくなるので、静電気による電子部品の破損を防止することができる。
【００３１】
また、保護カバー２０はオレフィン系の高分子化合物の樹脂シートを用いていおり、耐熱温度が−１０度Ｃ乃至＋８０度Ｃの温度に耐えるので、電子機器１０の冷／熱エージング工程においても変形が少なく、製造工程の始めから最終の工程まで確実に嵌着した状態で外すことなく使用することができる。これにより、保護カバー２０の変形によって保護カバー２０が電子機器１０から外れるのを防止し、製造工程中に発生する傷つきの機会を大幅に低減できる。尚、保護カバー２０は軽く電子機器を抱着する程度に形成されており、着脱が容易に行えるので繰り返しの使用が可能である。
【００３２】
また、保護カバー２０は白色であるため電子機器１０の保護された部分は外から視認できないが、視認孔２４が設けられているので製造工程管理用の機種記号を記したシールの有無（付け忘れ）と機種の確認が容易となる。
【００３３】
また、保護カバー２０には発泡性樹脂部材が用いられており適度の緩衝性があるので、電子機器１０（前面パネルユニット１５）を衝撃や振動から守ることができる。
【００３４】
また、保護カバー２０は真空成形または圧空成形により形成されるので、金型費および成形設備費などが格安となるのでコスト的に有利である。
【００３５】
尚、本発明の第１の実施の形態では保護カバー２０に液晶表示部１１と略同じ大きさの孔２１を設けたが、これに限らず、図３で示す保護カバー２７のように液晶表示部１１と同じ大きさの孔２１を設けずに、操作に必要な箇所にのみ操作孔２８を設け、その操作孔２８の近傍に操作手順を示す記号（本例では数字で表記）、または、操作手順に沿って操作孔２８と操作孔２８との間を線で結ぶことにより操作順の間違いをなくすることができる。その他に、保護カバー２０の孔の部分が少なくなるので、前面パネルユニット１５の露出部分が少なくなり傷防止効果が向上する。
【００３６】
その他に、保護カバー２０の操作用孔２２より前面パネルユニット１５の表示内容を見やすくするため（電子機器の色と極端に異なる場合には光線の当たる向きにより反射して見えずらくなる場合がある）に、操作用孔２２を含む近傍を、保護する電子機器１０の色に近い色で着色（例えば比較的手軽にできるスプレー着色など）して用いることによりさらに見やすくなる。
【００３７】
また、保護カバーの部材に、保護する電子機器の色に近い色となるような着色部材を添加したオレフィン系の高分子化合物の樹脂部材を用いることにより、上述のような着色が不要となり着色した時以上に見やすくなる。
【００３８】
次に、本発明の第２の実施の形態を図４を用いて説明する。
【００３９】
図４は本発明の第２の実施の形態に係る電子機器の保護カバーを示す概略図で、（ａ）正面図、（ｂ）Ｄ−Ｄ断面図である。尚、第２の実施の形態は第１の実施の形態の一部を変更したもので、その他については第１の実施の形態と略同じであるので、同じ構成については同じ符号を付し説明を省略する。
【００４０】
３０は保護カバーで、図４で示すように前面パネルユニット１５の形状（略前面パネルの形状）をしており、液晶表示部１１の外周壁に沿って壁部３１が液晶表示部１１の表面に接触するように形成されている。液晶表示部１１と略同じ大きさの操作部３２、操作釦１２を操作するための操作部３３および製造工程管理用の記号（例えば、機種記号などを記したシール１４）の視認部３４の４箇所の板厚が薄く形成されている。また、つまみ１３の操作孔３５などが設けられている。
【００４１】
保護カバー３０は、前面パネルユニット１５の前面パネルに嵌着（軽く押し込んだ状態で抱着する程度）した状態で、前面パネルユニット１５に固着するように、前面パネルの寸法よりやや小さめの寸法に形成されている。保護カバー３０の材料には、永久帯電防止機能（１０の１０乗乃至１１乗オーム）を有するオレフィン系の高分子化合物（ポリオレフィン）の樹脂シートが用いられ真空成形または圧空成形により形成される。
【００４２】
尚、ポリオレフィン部材は元々透明に近い色であり、第２実施例は第１実施例のように発泡させていないので、保護カバー３０は透明に近い状態となる。
【００４３】
以上説明したように本発明の第２の実施の形態に係る電子機器１０の保護カバー３０によれば、発泡性のない樹脂シートを用いて成形することにより透明に近い状態に形成され、さらに、電子機器１０の操作部を覆う部分の板厚を薄く形成することにより、操作部に孔を設けずに保護カバー３０を透して電子機器１０の前面部が確認できるので、保護カバー３０の上から操作することができる。したがって、前面パネルユニット１５の露出部分が殆どなくなり傷防止効果がさらに向上する。また、板厚を薄く形成することにより操作用の孔を設けた時と同じように操作することができる。
【００４４】
尚、本実施例においては電子機器を抱着するように保護カバーを構成したが、これに限らず電子機器の所定部分（例えば表示部）のみ保護できるようにカバーを取り付けるようにしてもよい。
【００４５】
次に、本発明の第３の実施の形態を図５を用いて説明する。
【００４６】
図５は本発明の第３の実施の形態に係る電子機器の組立用治具に組込まれた電子機器の保護カバーを示す概略図で、（ａ）正面図、（ｂ）Ｅ−Ｅ断面図である。尚、第３の実施の形態は第１の実施の形態と同じ構成については同じ符号を付し説明を省略する。
【００４７】
４０は電子機器１０の組立用治具で、治具本体４２と電子機器１０の保護カバー５０により構成されている。組立用治具４０は、単体で用いたり、組立用のロボットと組み合わせて用いたり、または、組立用治具４０に位置決め機能（例えば、位置決孔）を設けて多数台を組立ラインに投入し、組立ラインの所定の位置に設けられた位置決ピンにより位置決めし自動組立を行うことができる。この場合の組立用治具４０は、組立ライン内を循環させて用いる。
【００４８】
治具本体４２は、図５で示すように板状をしており中央部に保護カバー５０の形状をした凹部４４が形成されており、凹部４４の外周縁部には保護カバー５０が嵌合する方形環状の嵌合凸部（固定手段）４３が形成されている。また、凹部４４の底部４５には操作釦１２やつまみ１３に対応する位置に逃がし孔４６などが形成されている。治具本体４２の材料には、例えば、アルミニユームなどが用いられる。
【００４９】
保護カバー５０は、図５で示すように前面パネルユニット１５の前面パネルの形状（皿形状）をしており、底部には操作釦１２やつまみ１３の逃がし孔５１、５２などが形成されている。また、保護カバー５０の開口部の外周縁部には治具本体４２の嵌合凸部４３に嵌合する嵌合凹部５３が形成されている。保護カバー５０の材料には、永久帯電防止機能（１０の１０乗乃至１１乗オーム）を有するオレフィン系の高分子化合物（ポリオレフィン）の発泡性樹脂シートが用いられ真空成形または圧空成形により形成される。
【００５０】
以上説明したように本発明の第３の実施の形態に係る電子機器１０の組立用治具４０によれば、治具本体４２と電子機器１０の前面パネルユニット１５の前面パネルの受面（当接面）となる保護カバー５０とが着脱可能となっているので、必要または定期的に取り替えて用いることができる。したがって、常に前面パネルの受面が正常な状態で組立作業を行うことができる。
【００５１】
また、保護カバー５０には静電気の帯電防止機能が備わっているので、塵埃が付着しにくく、表面が汚れにくくなるので、前面パネルの当接面を汚す不具合を防止することができる。
【００５２】
また、静電気の帯電がなくなるので、静電気による電子部品の破損を防止することができる。
【００５３】
次に、本発明の第４の実施の形態を図６を用いて説明する。
【００５４】
図６は本発明の第４の実施の形態に係る電子機器の運搬用トレイに組込まれた電子機器の保護カバーを示す概略図で、（ａ）正面図、（ｂ）Ｆ−Ｆ断面図である。尚、第４の実施の形態は第１の実施の形態と同じ構成については同じ符号を付し説明を省略する。
【００５５】
６０は電子機器１０の運搬用トレイで、トレイ６２と電子機器１０の保護カバー７０により構成されている。運搬用トレイ６０は、例えば電子機器１０の前面パネルユニット１５の製造工程内の運搬または保管などに用いられる。運搬用トレイは、通常複数の電子機器１０が収納できるようになっている。
【００５６】
トレイ６２は、図６で示すように電子機器１０の保護カバー７０が内設される容器で、樹脂部材が用いられ樹脂成形加工により形成される。
【００５７】
保護カバー７０は、トレイ６２に内設して用いられる電子機器１０の保持部材で、図６で示すように電子機器１０の前面パネルユニット１５の前面パネルに略近い形状の載置部７１が形成されており、底部より載置部７１の外周を囲うように支部７２が突出している。尚、支部７２は載置部７１を複数個接続して形成するときの繋ぎ部となる。載置部７１には前面パネルより突出した操作釦１２、つまみ１３などが載置部７１に直接当接しないように逃がし孔７３、７４が形成されている。保護カバー７０は、複数の電子機器１０が収納できるように複数の載置部７１が接続して形成されている。保護カバー７０の材料には、永久帯電防止機能（１０の１０乗乃至１１乗オーム）を有するオレフィン系の高分子化合物（ポリオレフィン）の発泡性樹脂シートが用いられ真空成形または圧空成形により形成される。
【００５８】
以上説明したように本発明の第４の実施の形態に係る電子機器１０の運搬用トレイ６０によれば、トレイ６２と保護カバー７０により構成されており、保護カバー７０の載置部７１の形状を変えた保護カバーと取り替えることにより、その他の電子機器の運搬用トレイとして用いることができるので、運搬用トレイ６０を有効に活用することができる。
【００５９】
また、保護カバー７０が静電気対策が行われているので、電子機器１０に構成される電子部品を静電気から保護することができる。その他に塵埃の付着が減少するので、電子機器１０を塵埃から保護することができる。
【００６０】
尚、本例の説明では運搬用トレイ６０を製造工程内に用いたが、これに限らず、本例と同じ構成であれば、出荷用の梱包部材の一部に適用することができる。
【００６１】
【発明の効果】
以上説明したように本発明によれば、電子機器の製造工程内において電子機器に傷がつきにくく、また、静電気による電子部品の破損を防止でき、しかも、耐衝撃性の大きい電子機器の保護カバーを提供することができる。
【図面の簡単な説明】
【図１】本発明の第１の実施の形態に係る電子機器の保護カバーを示す概略図である。
【図２】本発明の第１の実施の形態に係る電子機器の保護カバーの嵌着状態を示す概略図である。
【図３】本発明の第１の実施の形態に係る電子機器の保護カバーと一部が異なる電子機器の保護カバーを示す概略図である。
【図４】本発明の第２の実施の形態に係る電子機器の保護カバーを示す概略図である。
【図５】本発明の第３の実施の形態に係る電子機器の組立用治具に組込まれた電子機器の保護カバーを示す概略図である。
【図６】本発明の第４の実施の形態に係る電子機器の運搬用トレイに組込まれた電子機器の保護カバーを示す概略図である。
【図７】従来の電子機器の傷付き防止対策を示す概略図である。
【符号の説明】
１０・・電子機器
１１・・液晶表示部
１２・・操作釦
１３・・つまみ
１４・・シール
１５・・前面パネルユニット
２０，２７，３０，３５・・保護カバー
２１・・孔
２２，２３，２８・・操作孔
２４・・視認孔
２５，３１・・壁部
３２，３３・・操作部
３４・・視認部
４０・・組立用治具
４２・・治具本体
４３・・嵌合凸部
４４・・凹部
４５・・底部
４６，５１，５２，７３，７４・・逃がし孔
５０、７０・・保護カバー
５３・・嵌合凹部
６０・・運搬用トレイ
６２・・トレイ
７１・・載置部
７２・・支部
【図１】
2004128173.tif 000003
【図２】
2004128173.tif 000004
【図３】
2004128173.tif 000005
【図４】
2004128173.tif 000006
【図５】
2004128173.tif 000007
【図６】
2004128173.tif 000008
【図７】
2004128173.tif 000009